(57)【特許請求の範囲】
【請求項１】
固定ブラケットが設けられるヒートシンクと、前記ヒートシンクの固定ブラケットに固定され、所定の位置に対応する上、下固定突縁部が設けられるファンと、前記ファンを前記ヒートシンクに固定させる固定部材と、を含む放熱装置において、
前記固定部材は、前記下固定突縁部に配置され、且つ雌ねじが設けられるねじ筒と、前記ファンの上固定突縁部と、前記ねじ筒と、下固定突縁部とに順に挿入されるねじ柱と、を含み、
前記ねじ柱は、ねじ頭部と、一定の間隔があるように設けられる２つの雄ねじを含み、
且つ、前記２つの雄ねじがそれぞれ前記ねじ筒と前記固定ブラケットに螺合されることによって、前記ファンの下固定突縁部を前記ねじ筒と前記固定ブラケットとの間に固定することを特徴とする放熱装置。
【請求項２】
前記固定ブラケットには、雌ねじを有する円筒状の定位部が突出して設けられ、前記定位部は、前記下固定突縁部の貫通孔に挿入されていることを特徴とする、請求項１に記載の放熱装置。
【請求項３】
前記固定ブラケットは、金属片を垂直に曲げて形成するものであり、ヒートシンクの側面に固定される垂直板と、前記ヒートシンクの上方に配置されて、前記ファンを支持する水平板とを含むことを特徴とする、請求項２に記載の放熱装置。
【請求項４】
前記垂直板と前記水平板との隣接部には、前記固定ブラケットに弾性力を提供する湾曲部が設けられていることを特徴とする、請求項３に記載の放熱装置。
【請求項５】
前記ねじ柱は、
半径が前記ねじ頭部の半径より小さく、且つ該ねじ頭部の中央部に垂直に連結される連接段と、
半径が前記連接段の半径より小さく、該連接段と同軸に連結されるねじ段と、
をさらに含み、
該ねじ段は、前記２つの雄ねじとそれらを連結する円柱体とから構成されることを特徴とする、請求項１に記載の放熱装置。
【請求項６】
前記ねじ柱を挿入すると、前記連接段の底縁が前記ねじ筒の上縁に、前記ねじ頭部が前記上固定突縁部に接触するより先に接触することを特徴とする、請求項５に記載の放熱装置。
【発明の詳細な説明】
【技術分野】
【０００１】
本発明は放熱装置に係り、特に発熱素子を冷却するための放熱装置に関するものである。
【背景技術】
【０００２】
電子技術及びディジタル技術が急速に発展していることに従って、電子素子（特に中央処理装置）の集積電路がますます複雑になり、発生する熱量もますます増加されている。このため、業界では電子素子にヒートシンクを装着して、前記電子素子を冷却している。且つ、前記ヒートシンクにファンを配置して、ヒートフィンに冷却用空気を供給し、ヒートフィンの冷却速度を高めている。
【０００３】
前記ファンを前記ヒートシンクに固定する固定装置の係合力を高めることと、前記ファンを前記ヒートシンクに簡単に装着すること、及び取外すことは、解決しなければならない課題になっている。
【０００４】
前記ファンを前記ヒートシンクに固定する方法は多くあるが、通常以下の二種を使用する。１つは、ファンの殻体の上縁と下縁に挿入されるねじを通して、前記ファンを前記ヒートシンクの上に固定する方法である。しかし、前記長ねじのねじ頭部が前記ファンの殻体の上縁に圧接しているので、前記ファンの殻体が変形し、前記ファンの正常な回転に影響する可能性がある。他の１つは、前記ファンの殻体の下縁だけに挿入される短いねじを通して、前記ファンをヒートシンクに固定させる方法である。この構造は、前記ファンの殻体が変形するのを防ぐことができるが、固定する時に、専用工具を使用する必要があるので、装着、及び取外し過程が複雑になる。
【発明の開示】
【発明が解決しようとする課題】
【０００５】
以上の問題点に鑑み、本発明は、装着、及び取外し過程が簡単になり、且つ、安定な係合状態を確保することができるファンの固定部材を有する放熱装置を提供することを目的とする。
【課題を解決するための手段】
【０００６】
本発明の放熱装置は、
固定ブラケットが設けられるヒートシンクと、前記ヒートシンクの固定ブラケットに固定され、所定の位置に対応する上、下固定突縁部が設けられるファンと、前記ファンを前記ヒートシンクに固定させる固定部材と、を含む。
前記固定部材は、前記下固定突縁部に配置され、且つ雌ねじが設けられるねじ筒と、前記ファンの上固定突縁部と、前記ねじ筒と、下固定突縁部とに順に挿入されるねじ柱と、を含み、
前記ねじ柱は、ねじ頭部と一定の間隔があるように設けられる２つの雄ねじ段を含み、
且つ、前記２つの雄ねじ段がそれぞれ前記ねじ筒と前記固定ブラケットに螺合されることによって、前記ファンの上固定突縁部を前記ねじ筒と前記受け部の間に固定する。
【０００７】
本発明に係る放熱装置において、前記ねじ柱は前記ファンの上固定突縁部に直接に接触しないので、前記ファンの上固定突縁部の変形を防ぐことができる。また、前記ファンの下固定突縁部が前記ねじ筒と前記水平板との間に配置されるので、前記ファンが受ける力が均一になる。従って、ファンにノイズが生ずることを防ぐことができる。
【発明を実施するための最良の形態】
【０００８】
以下、本発明に係るファンを備える放熱装置を図面を参照して詳細に説明する。
【０００９】
図１乃至図４を参照すると、本発明の放熱装置１０は、ヒートシンク１０と、ファン３０と、ファン固定ブラケット２０と、２つのファン固定具４０と、を含む。前記固定具４０は、前記ファン３０を前記固定ブラケット２０に固定する。前記ファン３０は、前記固定ブラケット２０によって前記ヒートシンク１０に固定され、前記ヒートシンク１０内部の気体の流動を増加する。前記固定具４０は、ねじ柱４２と、前記ねじ柱４２と螺合するねじ筒４４と、を含む。
【００１０】
前記ヒートシンク１０は、アルミニウム、銅などのような熱伝達が良い金属材料から構成される。前記ヒートシンク１０は、長方形の底板１２と、前記底板１２の表面に垂直し、等間隔に配置される複数の第１放熱フィン１４と、前記第１放熱フィン１４の両側に配置され、互いに平行に設けられる複数の第２放熱フィン１６と、を含む。前記第２放熱フィン１６の幅は、前記第１放熱フィン１４より小さく、先端から底部方向に沿って複数の部分に切れている。且つ、前記複数の第２放熱フィン１６において、前記ヒートシンク１０の四隅に位置する４つの放熱フィン１６には、４つの取付け孔１６０がそれぞれ設けている。前記底板１２の四隅には、前記ヒートシンク１０を回路基板に固定させるための４つの取付け部材２００がそれぞれ配置されている。
【００１１】
前記固定ブラケット２０は、金属片を垂直に曲げて形成するものであり、垂直板２２と、水平板２４と、を含んでいる。前記垂直板２２の両端には、前記第２放熱フィン１６の取付け孔１６０と対応する固定孔２２０が設けられている。前記固定ブラケット２０は、前記固定ブラケット２０の固定孔２２０および前記第２放熱フィン１６の取付け孔１６０に挿入されるねじ１００によって、前記ヒートシンク１０に固着されている。前記垂直板２２と水平板２４の隣接部には、前記固定ブラケット２０に弾性力を提供する湾曲部が設けられている。前記水平板２４の表面には、円柱状の定位部２４０が突出して設けられ、前記定位部２４０の中心には、前記ねじ柱４２と螺合する配合孔２４２が設けている。図４に示すように、前記固定ブラケット２０が前記ヒートシンク１０に固着された場合、前記水平板２４が前記第２放熱フィン１６の上方に配置される。
【００１２】
前記ファン３０の対角線の２つの隅部には、上下に一定な間隔がある２つの固定突縁部３２、３４がそれぞれ設けられている。前記固定突縁部３２、３４には、前記ねじ柱４２を挿入させる貫通孔３２０、３４０が形成されている。
【００１３】
図３〜図４を参照すると、前記ねじ柱４２は、順に配置されるねじ頭部４２２と、連接段４２４と、ねじ段４２６と、を含む。前記ねじ頭部４２２は、薄い円柱状体であり、端面に十字状溝４２２０が形成されている。前記連接段４２４は、半径が前記ねじ頭部４２２の半径より小さく、前記ねじ頭部４２２の中央部に垂直に連結される円柱状体である。前記ねじ段４２６は、半径が前記連接段４２４の半径より小さく、前記連接段４２４と同軸に連結される円柱状体である。前記ねじ段４２６において、前記連接段４２４に隣接する外周面と、該ねじ段４２６の端末を隣接する外周面に、２つの雄ねじ４２６２、４２６４がそれぞれ形成されている。即ち、２つの雄ねじ４２６２、４２６４が離間して形成され、中間部分はねじが形成されない円柱体４２６６である。
【００１４】
前記ねじ筒４４は、中央部に軸向に沿う貫通孔４４０を有する柱状体であり、前記ファン３０の下固定突縁部３２に配置されている。前記貫通孔４４０の内周面の上端には、前記２つの雄ねじ４２６２、４２６４と螺合する雌ねじが設けられている。前記貫通孔４４０の下端の内径が上端の内径より大きいので、前記雄ねじ４２６４が前記貫通孔４４０の下端の内で自由に移動することができる。前記雄ねじ４２６２が前記貫通孔４４０の雌ねじに完全に螺合された場合、前記連接段４２４の直径が前記貫通孔４４０の直径より大きいことにより、該連接段４２４の端部が前記ねじ筒４４の上端に当接される。
【００１５】
図４に示すように、前記ファン３０をヒートシンク１０に固定する場合、まず、前記ファン３０を固定ブラケット２０の水平板２４に配置し、前記水平板２４の定位部２４０が前記固定突縁部３２の貫通孔３２０に挿入されるようにする。次に、前記ねじ筒４４を前記ファン３０の下固定突縁部３２の上に配置し、前記ねじ筒４４の貫通孔４４０と前記固定突縁部３２の貫通孔３２０が互いに対応するようにする。次に、前記ねじ柱４２を前記ファン３０の貫通孔３２０（又は３４０）及び前記ねじ筒４４の貫通孔４４０に挿入し、且つこのねじ柱４２を挿入する。すると、前記ねじ柱４２の雌ねじ４２６４は、前記貫通孔３２０及び４４０（又は３４０及び４４０）を順に通過した後、前記固定ブラケット２０の水平板２４の定位部２４０に螺合され、前記雌ねじ４２６２は、前記連接段４２４の端部が前記ねじ筒４４の上端に接触するように前記ねじ筒４４の雌ねじに螺合される。
【００１６】
これで、前記ねじ筒４４の底部が前記ファン３０の下固定突縁部３２に接触されるので、前記下固定突縁部３２が前記固定ブラケット２０の水平板２４に固定される。且つ、前記ねじ柱４２のねじ頭部４２２が前記ファン３０の上固定突縁部３４に接触することがないので、前記ファン３０の上固定突縁部３４の変形を防ぐことができる。また、前記ファン３０の下固定突縁部３２が前記ねじ筒４４と前記水平板２４との間に配置されるので、前記ファン３０が受ける力が均一になる。従って、ファン３０でノイズが生ずることを防ぐことができる。更に、ねじ専用工具で前記ねじ柱４２のねじ頭部４２２を直接固定することができるので、固定操作が簡単になる。
【００１７】
又、前記ねじ柱４２を挿入する前に、ねじ柱４２の外周面に接着剤を塗布して、ねじ筒４４の螺合力を増強することができる。
【図面の簡単な説明】
【００１８】
【図１】本発明の実施状態に係る放熱装置の組立図である。
【図２】本発明の実施状態に係る放熱装置の分解図である。
【図３】本発明の実施状態に係る放熱装置の固定具の分解図である。
【図４】図１のＩＶ−ＩＶ線に沿う断面図である。
【符号の説明】
【００１９】
１０  ヒートシンク
１２  底板
１４  第１放熱フィン
１６  第２放熱フィン
１６０  取付け孔
１００  ねじ
２００  取付け部材
２０  固定ブラケット
２２  垂直板
２２０  固定孔
２４  水平板
２４０  定位部
２４２  配合孔
３０  ファン
３２  上固定突縁部
３４  下固定突縁部
３２０、３４０  貫通孔
４０  固定具
４２  ねじ柱
４２２  ねじ頭部
４２２０  十字溝
４２４  連接段
４２６  ねじ段
４２６２、４２６４  雄ねじ
４２６６  円柱体
４４  ねじ筒
４４０  貫通孔
【図１】
0004913715.tif 000002
【図２】
0004913715.tif 000003
【図３】
0004913715.tif 000004
【図４】
0004913715.tif 000005